(57)【特許請求の範囲】
【請求項１】
モータから張り出させたモータ取付板を、防振ゴムを介して、ネジ孔が形成された所定の固定板に取り付ける防振構造において、
前記防振ゴムは、周面に前記モータ取付板の端縁を嵌め込み可能な嵌込溝が形成されていると共に、一方面の中央にボルトのネジ軸を挿通可能なネジ軸挿通孔が開放し、他方面の中央に前記ネジ軸挿通孔に連通し且つ前記ボルトの頭部を収容可能な凹部が開放する扁平体とし、
前記嵌込溝の深さは、前記周面から前記凹部に至るまでの距離よりも浅く設定されていると共に、前記嵌込溝は、前記凹部の底部よりも前記他方面寄りに形成され、
前記凹部の底部と、ボルトの頭部の下面との間に、ワッシャを介在させ、
前記ワッシャは、前記凹部の底部に添設可能な押え部と、前記押え部の周縁の複数位置から前記凹部の深さよりも長く前記他方面を越えて延長する延長片と、前記延長片の延長端部から外側へ屈曲する爪部とから構成され、
前記爪部は、前記嵌込溝内における前記モータ取付板の端縁に続く一部を覆うように、前記端縁を越えて延長する長さに設定されており、
前記ボルトを前記固定板のネジ孔に螺合させ、前記ボルトの頭部の裏面が前記ワッシャの押え部に当接するまで前記ボルトを締め付けると、前記ワッシャの押え部と防振ゴムの前記凹部の底部は前記ボルトの頭部によって押圧され、前記爪部は前記防振ゴムの前記他方面から離間して位置するように設定されている防振構造。
【請求項２】
請求項１に記載の防振構造において、前記ネジ軸挿通孔にはその内周面に沿ってスペーサが嵌め込まれ、
前記スペーサの長さは、前記ネジ挿通孔の長さから、ボルトの締め付けにより圧縮される防振ゴムの圧縮分を差し引いた長さに設定されている防振構造。
【発明の詳細な説明】
【技術分野】
【０００１】
本発明は、防振構造、特に、モータの振動を吸収する防振構造に関する。
【背景技術】
【０００２】
通常、ＦＦ式と呼ばれる強制給排気式温風暖房機は、壁あるいは窓を利用して温風暖房機の本体ケースに連結される給排気筒の給気口と排気口を屋外に臨ませているものであり、本体ケース内には、ガスバーナと、ガスバーナに燃焼用空気を送る燃焼用ファンと、前記燃焼用ファンを回転駆動させるファンモータが収容されている。前記ファンモータによって燃焼用ファンが回転することにより、屋外の空気が給気口から給気筒を介して本体ケース内に取り込まれ、燃焼用空気としてガスバーナに供給される。
【０００３】
一般に、ファンモータにはモータ取付板が半径方向外側に向かって張り出しており、このモータ取付板を、燃焼用ファンのファンケース等の所定の固定板にネジ止めすることにより、前記ファンモータは本体ケース内の所定位置に固定される。
【０００４】
燃焼用ファンは、上記したように、給気筒を介して外部の空気を本体ケース内に強制的に取り込むと同時にガスバーナに供給させるため、ガス量によってはその回転数は高く設定され、それに伴いファンモータの振動も大きなものとなる。
ファンモータの振動がモータ取付板を介して前記固定板に直接伝播すると、前記固定板及び本体ケース内の他の収容機器との共振等によって騒音問題を発生させてしまうため、一般に、モータ取付板と固定板との間には防振ゴムを介在させることにより、ファンモータの振動が固定板に伝播するのを防止している（特許文献１及び２）。
【０００５】
例えば、特許文献１では、ファンモータから張り出させた環状のモータ取付板に形成した切欠部を、ボビン状防振ゴムの両鍔部間でネジ軸を挟むように嵌め込み、前記ネジ軸を軸方向に貫通している挿通孔にボルトを差し込んで、固定板の所定位置に螺合接続させる構成が開示されている。このものでは、ファンモータからモータ取付板に伝播する振動は、防振ゴムによって吸収され、固定板側への振動の伝播が緩和される。
【先行技術文献】
【特許文献】
【０００６】
【特許文献１】特開平１０−１１０６９９号公報
【特許文献２】特開平１１−６９７０２号公報
【発明の概要】
【発明が解決しようとする課題】
【０００７】
しかしながら、上記したような従来の防振ゴムでは、ボルトを締め付けた際、ボルト頭部や介在させるワッシャにより、防振ゴムの所定域が圧縮される。これにより、前記圧縮された部分の弾性特性は損なわれ、振動が吸収されにくくなって防振性能が低下するといった問題がある。
また、防振ゴムを介しているとはいえ、モータ取付板の前記切欠部近傍と固定板とは共に、ボルトの締め付けによって締め付け方向に押圧されて固定される構成となっているから、ファンモータの振動が前記ボルトを介して固定板に伝播してしまうおそれもある。
【０００８】
本発明は、上記問題点に鑑みてなされたものであり、その目的は、ファンモータに具備させるモータ取付板を、防振ゴムを介してファンケースの構成壁等の固定板にネジ止めする際に、ファンモータの振動の固定板への伝播を確実に低減させる防振構造を提供することである。
【課題を解決するための手段】
【０００９】
上記目的を達成するために講じた本発明は、
モータから張り出させたモータ取付板を、防振ゴムを介して、ネジ孔が形成された所定の固定板に取り付ける防振構造において、
前記防振ゴムは、周面に前記モータ取付板の端縁を嵌め込み可能な嵌込溝が形成されていると共に、一方面の中央にボルトのネジ軸を挿通可能なネジ軸挿通孔が開放し、他方面の中央に前記ネジ軸挿通孔に連通し且つ前記ボルトの頭部を収容可能な凹部が開放する扁平体とし、
前記嵌込溝の深さは、前記周面から前記凹部に至るまでの距離よりも浅く設定されていると共に、前記嵌込溝は、前記凹部の底部よりも前記他方面寄りに形成され、
前記凹部の底部と、ボルトの頭部の下面との間に、ワッシャを介在させ、
前記ワッシャは、前記凹部の底部に添設可能な押え部と、前記押え部の周縁の複数位置から前記凹部の深さよりも長く前記他方面を越えて延長する延長片と、前記延長片の延長端部から外側へ屈曲する爪部とから構成され、
前記爪部は、前記嵌込溝内における前記モータ取付板の端縁に続く一部を覆うように、  前記端縁を越えて延長する長さに設定されており、
前記ボルトを前記固定板のネジ孔に螺合させ、前記ボルトの頭部の裏面が前記ワッシャの押え部に当接するまで前記ボルトを締め付けると、前記ワッシャの押え部と防振ゴムの前記凹部の底部は前記ボルトの頭部によって押圧され、前記爪部は前記防振ゴムの前記他方面から離間して位置するように設定されている防振構造である。
【００１０】
上記手段は次のように作用する。
モータに具備させたモータ取付板の端縁の所定位置を防振ゴム装着位置と定め、前記端縁を防振ゴムの周面に形成された嵌込溝に嵌め込んで、モータ取付板の各位置に防振ゴムを装着する。
その後、固定板のネジ孔に、防振ゴムのネジ軸挿通孔の開放端がそれぞれ対応するように、モータ取付板を固定板に添設させると共に、前記凹部の底部と、ボルトの頭部の下面との間に、ワッシャの押え部を介在させ、防振ゴムの凹部からネジ軸挿通孔にボルトを挿通させて、前記ネジ孔に螺合させる。これにより、モータは、モータ取付板及び防振ゴムを介して、固定板に固定される。
前記ボルトの頭部の裏面が前記ワッシャの押え部に当接するまでボルトが締め付けられると、前記ワッシャの押え部と防振ゴムの前記凹部の底部が、前記ボルトの頭部によって押圧され、凹部の底部から前記一方面に至るまでの防振ゴムの所定範囲が、前記ワッシャの押え部を介して、前記ボルトの頭部で固定板に押圧されて圧縮されるが、嵌込溝の深さは、周面から凹部に至るまでの距離よりも浅く設定されているため、モータ取付板の端縁を嵌込溝の底部に届くまで嵌め込んだとしても、モータ取付板の端縁は、上記圧縮範囲に至ることはなく、それよりも外側に位置することとなる。これにより、モータ取付板は、ボルトの締め付けによって防振ゴムが押圧されたり圧縮されたりする際の影響を受け難いものとなる。
【００１１】
前記嵌込溝は、前記凹部の底部よりも前記他方面寄りに形成されている。
言い換えれば、モータ取付板の端縁を嵌め込む嵌込溝は、ボルトの締め付けによって押圧されたり圧縮されたりする範囲の反対側（防振ゴムの他方面寄り）に形成されているから、モータ取付板は、ボルトの締め付けによる影響を一層受け難くなる。
【００１３】
凹部の底部に添設されるワッシャの押え部はボルトの締め付けにより防振ゴムと共に固定板に固定され、凹部の開放端から、延長片と爪部とが略Ｌ字状に突出する態様となる。ワッシャの爪部は防振ゴムの他方面から離間して位置させているから、凹部に収容されたワッシャの押え部がボルトの締め付けによって防振ゴムを押圧しても、ワッシャの爪部による防振ゴムの押圧や圧縮を防ぐことができる。
また、前記爪部は、前記嵌込溝内におけるモータ取付板の端縁を超えて延長し、その延長部分がモータ取付板の前記端縁に続く一部を覆う態様としたから、例えば、防振ゴムが破損等によりモータ取付板を支持できなくなった場合には、モータ取付板の前記一部が、前記爪部の延長部分に引っ掛かることとなり、モータが直ちに落下することはない。
【００１４】
上記防振構造において、好ましくは、前記ネジ軸挿通孔にはその内周面に沿ってスペーサが嵌め込まれ、
前記スペーサの長さは、前記ネジ挿通孔の長さから、ボルトの締め付けにより圧縮される防振ゴムの圧縮分を差し引いた長さに設定されている。
ボルトの締め付けによって、防振ゴムの凹部の底部が押圧されると、前記凹部の底部から前記一方面に至る所定範囲に相当するネジ軸挿通孔の周囲が圧縮される。スペーサの長さは、自然状態にある前記防振ゴムのネジ挿通孔の長さからこの圧縮分を差し引いた長さに設定されているから、ボルトの締め付けによって、防振ゴムは所定の圧縮分だけ圧縮し、それ以上の圧縮はスペーサによって阻止される。
【発明の効果】
【００１５】
以上のように、本発明によれば、モータ取付板の端縁が嵌め込まれている嵌込溝は、ボルトの締め付けによって圧縮される防振ゴムの所定範囲から外れた位置に設けられているから、モータ取付板は防振ゴムの圧縮による影響を受け難く、モータの振動を防振ゴムによって確実に吸収させることができる上に、モータの振動が前記ボルトを介して固定板に伝播することもない。これにより、固定板や他の構成部品へのモータの振動の伝播を確実に低減させることができる。
さらに、嵌込溝を凹部の底部よりも他方面寄りに設けるようにしたものでは、モータ取付板はボルトの締め付けによる防振ゴムの圧縮の影響を一層受け難くなるから、モータの振動の伝播を一層確実に低減させることができる。
【００１６】
また、爪部付きのワッシャを防振ゴムと共にボルトで固定しておくことで、防振ゴムが破損してもモータ取付板の端縁は爪部に引っ掛かってモータが不用意に落下しないようにしたから、防振ゴムの損傷によるモータの落下に伴う器具の損傷や故障を防止することができる。しかも、ワッシャの爪部は防振ゴムの前記他方面から離間した態様で配設されるから、モータ取付板の端縁が差し込まれる嵌込溝周辺がワッシャによって圧縮されることを防止できる。それゆえ、モータの振動が、ワッシャを介して固定板に伝播され難い。
【００１７】
また、上記防振構造において、前記ネジ挿通孔に筒状スペーサを嵌め込むことにより、ボルトを締め付けてもネジ軸挿通孔の周囲の部分が必要以上に圧縮され難いようにしたから、防振性の低下を一層防止することができる。
【図面の簡単な説明】
【００１８】
【図１】本発明の実施の形態における防振構造に係る燃焼ファンモータユニットを示す分解斜視図である。
【図２】本発明の実施の形態における防振構造に係る防振ゴムの組み付けを示す分解斜視図である。
【図３】本発明の実施の形態における防振構造を表す要部拡大断面図である。
【図４】本発明の実施の形態における防振構造に係るモータとファンケースと防振ゴムの組み付け完了状態を示す斜視図である。
【発明を実施するための形態】
【００１９】
以下、本発明を実施するための最良の形態について添付図面を参照しながら説明する。
本発明の実施の形態の防振構造は、ＦＦ式ガス温風暖房機の燃焼用ファンとモータを組み付けてなる燃焼ファンモータユニットに実施するもので、燃焼用ファンモータユニットは、図１に示すように、両端に開放する筒状のファンケース(2)と、このファンケース(2)の両開放部を覆う蓋板(21)(22)と、これらファンケース(2)と両蓋板(21)(22)で形成された空間に配置される羽根車(20)と、この羽根車(20)を駆動するモータ(3)とからなる。尚、ファンケース(2)は、図示しないが、屋外に開放して屋外の空気を取り込む給気筒に連通するように、一方の蓋板(21)が本体ケースの構成壁の所定位置にネジ止めによって固定される。
【００２０】
蓋板(21)(22)のうち、前記一方の蓋板(21)は、ファンケース(2)に対して嵌め止めされており、他方の蓋板(22)はファンケース(2)の開放端にネジ止めされていると共に、蓋板(22)には、燃焼用ファンモータ(3)が固定される。
【００２１】
燃焼用ファンモータ(3)の一端にはフランジ板(32)が一体的に張り出しており、このフランジ板(32)が三角形状のモータ取付板(30)にネジ止めされる。そして、このモータ取付板(30)を前述の蓋板(22)に、防振ゴム(1)を介してネジ止めする。
前記三角形状のモータ取付板(30)の各頂角は略Ｕ字状に切り欠かれて切欠部(31)が形成されており、防振ゴム(1)はこの切欠部(31)に嵌め込まれる態様で装着される。
この実施の形態では、ファンケース(2)の蓋板(22)が、モータ取付板(30)が取り付けられる、発明特定事項としての固定板に相当するものとなり、防振ゴム(1)が対応する３箇所には、防振ゴム(1)をネジ止めするためのネジ孔(23)が形成されている。
【００２２】
防振ゴム(1)は、図２及び図３に示すように、例えば、直径約２８ｍｍで厚さ約１２ｍｍの扁平な略円柱体であり、防振ゴム(1)の一方面(1a)には脚部(11)が突出しており、この脚部(11)が蓋板(22)に添設される。また、脚部(11)の周縁には、圧縮時の変形を吸収できるように切れ込み部(11a)が複数形成されている。
防振ゴム(1)の一方面(1a)の中央（脚部(11)の中央）には、蓋板(22)に設けたネジ孔(23)に螺合するボルト(4)のネジ軸(41)が挿通可能な大きさのネジ軸挿通孔(13)が開放し、他方面(1b)の中央には、ネジ軸挿通孔(13)に連通し且つボルト(4)の頭部(40)を収容可能な大きさの凹部(12)が開放している。
【００２３】
そして、防振ゴム(1)の周面には、モータ取付板(30)の切欠部(31)の内周縁が嵌込可能な嵌込溝(10)が全周にわたって形成されている。
この嵌込溝(10)の深さ(D)は、図３に示すように、防振ゴム(1)の周面から凹部(12)に至るまでの距離(L1)より浅く（短く）設定されている。
また、その形成位置は、凹部(12)の底部(12a)の高さよりも他方面(1b)寄りに設けられており、この実施の形態のものでは、底部(12a)から嵌込溝(10)までの距離(d)は、約２ｍｍに設定されている。
【００２４】
前述したネジ軸挿通孔(13)には、筒状のスペーサ(14)がネジ軸挿通孔(13)の内周面に沿うように嵌め込まれており、スペーサ(14)内にボルト(4)のネジ軸(41)が挿通可能となっている。尚、スペーサ(14)の長さは、凹部(12)の底部(12a)から脚部(11)の開放端までの長さから、ボルト(4)を適度の締め付けたときの防振ゴム(1)の圧縮分を差し引いた長さに設定されている。
【００２５】
凹部(12)には、図２に示すようなワッシャ(5)が嵌め込まれる。
ワッシャ(5)は、凹部(12)の底部(12a)に設置され且つ中央にスペーサ(14)の内径に略一致する大きさの開口(50)が形成された円板状の押え部(51)と、押え部(51)の周縁の対向位置から押え部(51)に対して略直角方向に突出させた一対の延長片(52)と、延長片(52)の延長端から外側に向かって略直角に屈曲させた爪部(53)とから構成されている。
図３に示すように、延長片(52)の長さは凹部(12)の深さよりも長く設定されていると共に、爪部(53)は、嵌込溝(10)に嵌め込まれた状態にあるモータ取付板(30)の切欠部(31)の内周縁を越えてさらに延長しており、図面では、その延長部分(L2)が、モータ取付板(30)の一部を下方から覆う態様となっている。
【００２６】
防振ゴム(1)は、ネジ軸挿通孔(13)にスペーサ(14)を内嵌させ、凹部(12)の底部(12a)に、ワッシャ(5)の押え部(51)を添設させて、凹部(12)の開放部から延長片(52)及び爪部(53)を露出させると共に、ワッシャ(5)の開口(50)からスペーサ(14)内にボルト(4)のネジ軸(41)を差し込んで、防振ゴム(1)の凹部(12)内にボルト(4)の頭部(40)が収容される態様にセットされる。このとき、ワッシャ(5)の延長片(52)は、押え部(51)から防振ゴム(1)の他方面(1b)を越えて延在し、その延長端から折り曲げられた爪部(53)が凹部(12)の外側に向かって延在する。
そして、モータ(3)の三角形状のモータ取付板(30)の３つの頂点にそれぞれ形成した切欠部(31)の内周縁を防振ゴム(1)の嵌込溝(10)に差し込むことにより、モータ取付板(30)の各頂点に防振ゴム(1)が装着される。
【００２７】
嵌込溝(10)の幅はモータ取付板(30)の肉厚に略一致させておくことにより、切欠部(31)の内周縁は防振ゴム(1)の嵌込溝(10)に密に挿入されることとなり、装着状態を維持することができる。
【００２８】
そして、防振ゴム(1)の脚部(11)の中央に開放しているネジ軸挿通孔(13)が、蓋板(22)の各ネジ孔(23)に対応するように、モータ取付板(30)を蓋板(22)に添設させ、防振ゴム(1)の凹部(12)から、ワッシャ(5)の開口(50)及びネジ軸挿通孔(13)内のスペーサ(14)にボルト(4)のネジ軸(41)を挿通させて、蓋板(22)のネジ孔(23)に螺合させ、ボルト(4)の頭部(40)の裏面がワッシャ(5)の押え部(51)に当接するまでボルト(4)を締め付ける。
これにより、図４に示すように、モータ(3)に具備させたモータ取付板(30)が防振ゴム(1)を介してファンケース(2)の蓋板(22)に取り付けられることとなる。
【００２９】
ボルト(4)を蓋板(22)のネジ孔(23)に螺合させていくことにより、ワッシャ(5)の押え部(51)と防振ゴム(1)の凹部(12)の底部(12a)が、ボルト(4)の頭部(40)によって押圧されていくが、モータ(3)のモータ取付板(30)は、その切欠部(31)の内周縁が防振ゴム(1)の嵌込溝(10)に差し込まれているだけであって、直接ネジ止めされていないから、モータ(3)の振動はボルト(4)やワッシャ(5)を介して蓋板(22)に伝播され難い。
【００３０】
モータ取付板(30)の切欠部(31)の内周縁は、ボルト(4)の頭部(40)による押圧部から外周側に離れて位置している上に、頭部(40)が押圧している凹部(12)の底部(12a)よりも他方面(1b)寄りに位置する構成となっているから、モータ取付板(30)が差し込まれている防振ゴム(1)の嵌込溝(10)の形成域はボルト(4)の締め付けによる影響を受け難く、圧縮され難い。それゆえ防振性の低下が抑えられ、確実にモータ(3)の振動を吸収することができる。
【００３１】
また、ワッシャ(5)には、防振ゴム(1)の嵌込溝(10)の開放端近傍まで延在する爪部(53)が形成されているが、ワッシャ(5)の延長片(52)は凹部(12)の深さよりも長く形成されており、それゆえ延長片(52)の延長端部から折り曲げられる爪部(53)は、防振ゴム(1)の他方面(1b)から離間して配置されるから、爪部(53)によって嵌込溝(10)の形成域が圧縮されることも防止される。
【００３２】
また、ネジ軸挿通孔(13)にはスペーサ(14)を内嵌させていることにより、ボルト(4)の締め付けによる押圧力は、ワッシャ(5)の押え部(51)を介してスペーサ(14)に作用するため、ネジ軸挿通孔(13)の周囲部分は、ボルト(4)を締め付けても、蓋板(22)との間で圧縮され難くなる。
【００３３】
スペーサ(14)を具備させておくことにより、防振ゴム(1)は、ボルト(4)の締め付けによって必要以上圧縮されない構成となるから、防振ゴム(1)が圧縮され過ぎることによる防振性能の低下を防止することができる。これにより、モータ(3)の駆動に伴うモータ取付板(30)の振動を防振ゴム(1)によって十分吸収させることができるから、モータ(3)の振動の蓋板(22)への伝播を一層確実に低減させることができる。
【００３４】
また、防振ゴム(1)の凹部(12)からはワッシャ(5)の延長片(52)及び爪部(53)が略Ｌ字状に突出し、爪部(53)は嵌込溝(10)の開放端近傍にまで延長させている。従って、長期の使用等で防振ゴム(1)が劣化し破損することにより、モータ取付板(30)を嵌込溝(10)で支持する支持形態を維持できなくなった場合には、切欠部(31)の内周縁が、ワッシャ(5)の爪部(53)のうち、切欠部(31)の内周縁よりも延長させた延長部分(L2)に引っ掛かかることとなるから、防振ゴム(1)が破損してもモータ(3)の不用意な落下を防止できる。
このように、ワッシャ(5)の爪部(53)を、モータ(3)の落下防止手段として機能させることにより、モータ(3)の落下による器具の破損を回避することができる。
【符号の説明】
【００３５】
(1) ・・・・・・防振ゴム
(1a)・・・・・・一方面
(1b)・・・・・・他方面
(10)・・・・・・嵌込溝
(12)・・・・・・凹部
(12a) ・・・・・底部
(13)・・・・・・ネジ軸挿通孔
(22)・・・・・・蓋板（固定板）
(3) ・・・・・・モータ
(30)・・・・・・モータ取付板
(4) ・・・・・・ボルト
(40)・・・・・・頭部
(41)・・・・・・ネジ軸
【図１】
0005642111.tif 000002
【図２】
0005642111.tif 000003
【図３】
0005642111.tif 000004
【図４】
0005642111.tif 000005